(57)【要約】【課題】ユーザが操作しなくても、ＧＰＳを必要なときにのみ動作させて存在位置に適したモードに自動的に切り替え、消費電力を極力おさえることができるようにする。【解決手段】携帯通信端末装置のユーザ操作部１０１を介して、ユーザがモード切り替えを行った場合、モード管理部１０３は、基地局情報取得部１０４からの基地局情報と、位置情報取得部１０５からのＧＰＳ情報を、モードの切り替えと対応付けて、記録部１０６に記録する。記録した経路順（あるいはその逆）に携帯通信端末装置が移動する場合、モード管理部１０３は、記録されている情報から判断し、その基地局のエリアに移動した場合には、位置情報取得部１０５を起動して位置を判定し、自動的にモードを切り替える。また、位置情報判定後、もしくは、記録されているエリアを外れた場合には、位置情報取得部１０５を停止する。【選択図】図１
2010114589.tif 000002
【特許請求の範囲】
【請求項１】
複数の動作モードを持ち、所定の基地局を介して通信を行う携帯通信端末装置において、
前記基地局の情報を取得する基地局情報取得部と、
位置を測定して位置情報を取得する位置情報取得部と、
前記モードを切り替えるモード切替部と、
ユーザが各種の操作を行うユーザ操作部と、
ユーザが、前記ユーザ操作部を介して、前記モード切替部によりモードの切り替え操作を行ったとき、前記基地局情報取得部により取得した基地局情報と、前記位置情報取得部により取得した位置情報とを、モードの切り替えと対応付けて、移動した順番に管理テーブルとして記録する記録部と、
モード切り替えを制御管理するモード管理部と、
を備え、
前記モード管理部は、
前記基地局情報取得部により取得した基地局情報と、前記位置情報取得部により取得した位置情報と、前記モード切替部によるモード切り替え情報とを対応づけて、移動順に前記記録部に記録させる記録管理手段と、
前記基地局情報取得部により取得した基地局情報と、前記位置情報取得部により取得した位置情報に基づいて、前記記録部に記録した移動順番あるいはその逆の順に移動が確認でき、且つ、前記記録部に記録された位置情報に基づいて設定される位置判定範囲に存在する場合、前記記録部に記録された情報に基づいて前記ユーザ操作部を介して、ユーザがモード切り替え操作を行った位置でモードを切り替えるモード切替制御手段と、
を備えたことを特徴とする携帯通信端末装置。
【請求項２】
前記モード管理部のモード切替制御手段は、
前記記録部に記録されている順に携帯通信端末装置が移動している場合、前記記録部に記録されているモード切り替え情報に従ってモードを切り替え、
前記記録部に記録されている順と逆の順に携帯通信端末装置が移動している場合、前記記録部に記録されているモード切り替え情報とは逆のモード切り替えることを特徴とする請求項１に記載の携帯通信端末装置。
【請求項３】
前記モード管理部の記録管理手段は、
モード切り替えを行う起点となる位置範囲をホームエリアとしてモード切り替えの最初の位置とし、そこから順番に管理テーブルとして前記記録部へ記録することを特徴とする請求項１又は２に記載の携帯通信端末装置。
【請求項４】
前記モード管理部の記録管理手段は、
移動ルートごとに複数の管理テーブルを前記記録部に記録させることを特徴とする請求項３に記載の携帯通信端末装置。
【請求項５】
前記モード管理部のモード切替制御手段は、
ホームエリアの次の順のモード切り替え位置が、どの管理テーブルに記録されているかを判断することによって、移動時に使用する管理テーブルの選択を行うことを特徴とする請求項４に記載の携帯通信端末装置。
【請求項６】
前記モード管理部のモード切替制御手段は、
ホームエリアに移動した場合には、ホームエリアとして前記記録部に記録したモードに切り替えることを特徴とする請求項３乃至５のいずれかに記載の携帯通信端末装置。
【請求項７】
前記モード管理部の記録管理手段は、
位置情報に関係なく設定する基本モードを前記記録部に記録し、基本モード以外のモードに切り替える位置情報とモードの切り替え状況を対応付けて記録することを特徴とする請求項１又は２に記載の携帯通信端末装置。
【請求項８】
前記モード管理部のモード切替制御手段は、
前記記録部に記録された位置判定範囲に存在する場合、記録されているモードに切り替え、記録されている位置判定範囲から外れた場合、基本モードとして記録したモードに切り替えるたことを特徴とする請求項７に記載の携帯通信端末装置。
【請求項９】
前記モード管理部のモード切替制御手段は、
前記記録部に記録された基地局情報の基地局のエリアへ到達するまでは、前記基地局情報取得部による基地局情報で位置を判定し、基地局情報のエリアに移動後、前記位置情報取得部による位置情報で位置を判定することを特徴とする請求項１乃至８のいずれかに記載の携帯通信端末装置。
【請求項１０】
前記モード管理部のモード切替制御手段は、
前記位置情報取得部による位置情報によりモード切り替えの位置判定範囲への移動が確認できた場合には、前記位置情報取得部を直ちに停止し、基地局情報のみでエリアの外れを検出することを特徴とする請求項９に記載の携帯通信端末装置。
【請求項１１】
前記モード管理部のモード切替制御手段は、
前記位置情報取得部による位置情報により位置を判定中に、記録されている基地局情報のエリアを外れたことを検出した場合には、前記位置情報取得部を停止し、基地局情報のみで移動を確認することを特徴とする請求項９に記載の携帯通信端末装置。
【請求項１２】
基地局の情報を取得する基地局情報取得部と、
位置を測定して位置情報を取得する位置情報取得部と、
前記モードを切り替えるモード切替部と、
ユーザが、前記ユーザ操作部を介して、前記モード切替部によりモードの切り替え操作を行ったとき、前記基地局情報取得部により取得した基地局情報と、前記位置情報取得部により取得した位置情報とを、モードの切り替えと対応付けて、移動した順番に管理テーブルとして記録する記録部と、
モード切り替えを制御管理するモード管理部と、
を備え、
複数の動作モードを持って、所定の基地局を介して通信を行う携帯通信端末装置の自動モード切り替え方法において、
前記モード管理部が前記基地局情報取得部により取得した基地局情報と、前記位置情報取得部により取得した位置情報に基づいて、前記記録部に記録した移動順番あるいはその逆の順に移動が確認でき、且つ、前記記録部に記録された位置情報に基づいて設定される位置判定範囲に存在する場合、前記記録部に記録された情報に基づいて前記ユーザ操作部を介して、ユーザがモード切り替え操作を行った位置でモードを切り替えることを特徴とする自動モード切り替え方法。
【発明の詳細な説明】
【技術分野】
【０００１】
本発明は、様々な動作モードをその位置に応じて自動的に切り替えることができる携帯通信端末装置及びその自動モード切り替え方法に関する。
【背景技術】
【０００２】
従来の携帯通信端末においては、通話着信やメール着信を知らせる合図をバイブレーターあるいは小さな着信音で持ち主に知らせるためのマナーモード設定や、一台の端末で二つの電話番号を持てるサービスに対応するモード設定など、様々な動作モードが存在するが、モードを切り替えるためには、毎回ユーザが操作を行って、モードを切り替える必要があった。
【０００３】
特許文献１では、基地局情報とＧＰＳで取得した位置情報から、端末のモードを切り替え、所定の位置で自動的にモードの切り替えを行う技術について開示されている。
【特許文献１】特開２００７−１４２９０５号公報
【発明の開示】
【発明が解決しようとする課題】
【０００４】
特許文献１では、所定の基地局との通信を確認後、ＧＰＳを起動して所定の位置を判定し、モード切り替えを行うことで、位置の特定精度を向上させ、さらに、ＧＰＳの動作を制限することで、消費電力も抑えている。しかし、所定の地点にいる間はＧＰＳが起動し続け、また、ＧＰＳで所定の位置を判定する前に基地局のエリアを外れてしまった場合には、所定の位置を特定できず、ＧＰＳが起動し続けてしまい、所定の基地局と通信中は、消費電力が増加してしまう可能性が考えられる。ユーザがモード切り替えを行えばよいが、常にモードを確認しながら使用することはむずかしい。
【０００５】
本発明は、斯かる実情に鑑み、ユーザが操作しなくても、ＧＰＳを必要なときにのみ動作させて存在位置に適したモードに自動的に切り替え、消費電力を極力おさえることができる携帯通信端末装置及びその自動モード切り替え方法を提供しようとするものである。
【課題を解決するための手段】
【０００６】
本発明は、複数の動作モードを持ち、所定の基地局を介して通信を行う携帯通信端末装置において、前記基地局の情報を取得する基地局情報取得部と、位置を測定して位置情報を取得する位置情報取得部と、前記モードを切り替えるモード切替部と、ユーザが各種の操作を行うユーザ操作部と、ユーザが、前記ユーザ操作部を介して、前記モード切替部によりモードの切り替え操作を行ったとき、前記基地局情報取得部により取得した基地局情報と、前記位置情報取得部により取得した位置情報とを、モードの切り替えと対応付けて、移動した順番に管理テーブルとして記録する記録部と、モード切り替えを制御管理するモード管理部と、
を備え、
前記モード管理部は、前記基地局情報取得部により取得した基地局情報と、前記位置情報取得部により取得した位置情報と、前記モード切替部によるモード切り替え情報とを対応づけて、移動順に前記記録部に記録させる記録管理手段と、前記基地局情報取得部により取得した基地局情報と、前記位置情報取得部により取得した位置情報に基づいて、前記記録部に記録した移動順番あるいはその逆の順に移動が確認でき、且つ、前記記録部に記録された位置情報に基づいて設定される位置判定範囲に存在する場合、前記記録部に記録された情報に基づいて前記ユーザ操作部を介して、ユーザがモード切り替え操作を行った位置でモードを切り替えるモード切替制御手段と、を備えたことを特徴とする。
ここで、位置情報取得部は、例えばＧＰＳである。
【０００７】
前記モード管理部のモード切替制御手段は、前記記録部に記録されている順に携帯通信端末装置が移動している場合、前記記録部に記録されているモード切り替え情報に従ってモードを切り替え、前記記録部に記録されている順と逆の順に携帯通信端末装置が移動している場合、前記記録部に記録されているモード切り替え情報とは逆のモード切り替えることを特徴とする。
【０００８】
前記モード管理部の記録管理手段は、モード切り替えを行う起点となる位置範囲をホームエリアとしてモード切り替えの最初の位置とし、そこから順番に管理テーブルとして前記記録部へ記録することを特徴とする。
【０００９】
前記モード管理部の記録管理手段は、移動ルートごとに複数の管理テーブルを前記記録部に記録させることを特徴とする。
【００１０】
前記モード管理部のモード切替制御手段は、ホームエリアの次の順のモード切り替え位置が、どの管理テーブルに記録されているかを判断することによって、移動時に使用する管理テーブルの選択を行うことを特徴とする。
【００１１】
前記モード管理部のモード切替制御手段は、ホームエリアに移動した場合には、ホームエリアとして前記記録部に記録したモードに切り替えることを特徴とする。
【００１２】
前記モード管理部の記録管理手段は、位置情報に関係なく設定する基本モードを前記記録部に記録し、基本モード以外のモードに切り替える位置情報とモードの切り替え状況を対応付けて記録することを特徴とする。
【００１３】
前記モード管理部のモード切替制御手段は、前記記録部に記録された位置判定範囲に存在する場合、記録されているモードに切り替え、記録されている位置判定範囲から外れた場合、基本モードとして記録したモードに切り替えることを特徴とする。
【００１４】
前記モード管理部のモード切替制御手段は、前記記録部に記録された基地局情報の基地局のエリアへ到達するまでは、基地局情報取得部による基地局情報で位置を判定し、基地局情報のエリアに移動後、位置情報取得部による位置情報で位置を判定することを特徴とする。
【００１５】
前記モード管理部のモード切替制御手段は、前記位置情報取得部による位置情報によりモード切り替えの位置判定範囲への移動が確認できた場合には、前記位置情報取得部を直ちに停止し、基地局情報のみでエリアの外れを検出することを特徴とする。
【００１６】
前記モード管理部のモード切替制御手段は、前記位置情報取得部による位置情報により位置を判定中に、記録されている基地局情報のエリアを外れたことを検出した場合には、前記位置情報取得部を停止し、基地局情報のみで移動を確認することを特徴とする。
【００１７】
また、本発明は、基地局の情報を取得する基地局情報取得部と、位置を測定して位置情報を取得する位置情報取得部と、前記モードを切り替えるモード切替部と、ユーザが、前記ユーザ操作部を介して、前記モード切替部によりモードの切り替え操作を行ったとき、前記基地局情報取得部により取得した基地局情報と、前記位置情報取得部により取得した位置情報とを、モードの切り替えと対応付けて、移動した順番に管理テーブルとして記録する記録部と、モード切り替えを制御管理するモード管理部と、を備え、複数の動作モードを持って、所定の基地局を介して通信を行う携帯通信端末装置の自動モード切り替え方法において、
前記モード管理部が前記基地局情報取得部により取得した基地局情報と、前記位置情報取得部により取得した位置情報に基づいて、前記記録部に記録した移動順番あるいはその逆の順に移動が確認でき、且つ、前記記録部に記録された位置情報に基づいて設定される位置判定範囲に存在する場合、前記記録部に記録された情報に基づいて前記ユーザ操作部を介して、ユーザがモード切り替えを行った位置でモードを切り替えることを特徴とする。
【発明の効果】
【００１８】
本発明では、最初はユーザ操作によって、モードを切り替える必要があるが、以後は、モード切り替え操作を行ったエリアに移動すると、ユーザが操作を行うこと無しにモードが自動的に切り替わるので、ユーザの操作によるモード変更の場合と異なり、モードの変更忘れがおきなくなり、ユーザの意図と反するモードで動作することが無くなる効果がある。
【００１９】
また、携帯電話のように基地局のエリアが広い場合に、モードの切り替え位置を、基地局のエリアだけで判定すると非常に範囲が広くなってしまい、ユーザが意図した位置とは大幅にずれてしまう可能性もあったが、ＧＰＳも併用し、高い制度で、より細かいエリアが特定できるため、ユーザが意図した位置で、モード切り替えを行えるようになる。
【００２０】
更に、ＧＰＳを使用した位置判定は、記録されている基地局のエリア内でのみに限定され、基地局のエリア内でＧＰＳ情報のエリア内への移動を確認するか、もしくは、ＧＰＳ情報のエリア内に移動する前に、基地局のエリアを外れると、ＧＰＳの使用を直ちに停止するため、ＧＰＳの使用時間が短くて済むことになり、常時ＧＰＳを使用し、エリアを特定する場合に比べ、非常に消費電力が少なくなる。
【発明を実施するための最良の形態】
【００２１】
以下、本発明の実施の形態を添付図面を参照して説明する。
本実施形態では、モード切り替え操作の状況と位置情報との対応関係を記録する動作に関して、モードとしてマナーモードのＯＮ／ＯＦＦ場合を例にして説明するが、動作として、マナーモードに特定しているわけではない。１台の端末で複数の電話番号が持てるサービス、単に待ちうけ画面や着信音などをエリアに応じて変えて使用する場合など様々のモードにも適応できる。
【００２２】
［第１実施形態］
図１は、本発明の携帯通信端末装置の第１実施形態における構成を示すブロック図である。この携帯通信端末装置は、ユーザが各種の操作を行うユーザ操作部１０１、モードを切り替えるモード切替部１０２、基地局の情報と位置情報の管理を行い、モードの自動切り替え管理を行うモード管理部１０３、端末が接続している基地局の情報を取得して管理する基地局情報取得部１０４、位置を測定して詳細な位置情報を取得する位置情報取得部１０５、自動モード切り替えに必要な情報を記録しておくために、後述する管理テーブルを記録する記録部１０６から構成される。ここでは、位置情報取得部１０５には、ＧＰＳを使用した場合を例にして説明する。
【００２３】
図２は、本発明の第１実施形態におけるモード切り替え状況と位置情報の対応関係を記録する動作を示すフローチャートである。図３は、第１実施形態における自動モード切り替え管理テーブルの一例を示す概念図である。
【００２４】
図３に示す管理テーブル３０１は、手動でモード切り替えを行ったエリアで接続していた基地局（例えば位置登録していた基地局などが考えられるので、以後の実施形態では位置登録していた基地局を例にして説明する）の情報を記録する基地局情報、ＧＰＳで測位した位置情報であるＧＰＳ情報、手動で切り替えを行ったモードを記録するモード情報とから構成され、手動でモード切り替えを行った順番に記録部１０６に記録される。
【００２５】
図４は、本発明の第１実施形態における、携帯通信端末装置とエリアの関係を示す概念図であり、４０１ａ〜４０１ｆは携帯通信端末装置の位置、４０２ａ，４０２ｂ，４０２ｃは管理テーブル３０１に記録されている基地局、４０２ｄは管理テーブル３０１に記録されていない基地局、４０３ａ〜４０３ｄは各基地局に対応する通信可能なエリア、４０４ａ〜４０４ｃはＧＰＳを使用した携帯通信端末装置の位置に基づくモード切り替えを行うための判定範囲を表している。
【００２６】
ここで、管理テーブル３０１のＧＰＳ情報は、モード切り替えを行うときの位置を示しているが、これはピンポイントの位置を示しているわけではない。管理テーブル３０１のＧＰＳ情報として記録されているポイントから半径１０ｍ以内など一定の範囲（位置判定エリア４０４ａ，４０４ｂ，４０４ｃ）内に携帯通信端末が存在すれば、モード切り替えを行う。この位置判定エリアは、ユーザの設定に応じて範囲を変えることも可能となる。
【００２７】
ここで、図３の管理テーブル３０１で想定しているのは、次のようなものである。
エリア４０３ａ欄のＧＰＳ情報の位置４０１ａは、「ユーザの自宅」であり、その判定範囲は４０４ａである。エリア４０３ｂ欄のＧＰＳ情報の位置４０１ｃは、「Ａ駅」であり、その判定範囲は４０４ｂである。エリア４０３ｃ欄のＧＰＳ情報の位置４０１ｅは、「Ｂ駅」であり、その判定範囲は４０４ｃである。
【００２８】
この携帯通信端末装置のユーザは、通勤ルートが自宅→乗車駅Ａ→下車駅Ｂであり、この通勤ルートに沿って順にモード設定が管理テーブル３０１に記録されている。
【００２９】
まず、図２に基づいて管理テーブル３０１への記録動作について説明する。
最初に、ユーザは、ホームエリアの登録を行う。携帯通信端末装置を持っているユーザが、自宅に滞在しているとする。このとき携帯通信端末装置は、基地局４０２ａに位置登録している状況である。ユーザは、ユーザ操作部１０１を介してモード切替部１０２に、マナーモードＯＦＦとさせる。モード管理部１０３は、記録管理手段を用いて、基地局情報取得部１０４から位置登録している基地局の情報を取得すると共に、ＧＰＳを起動して詳細な位置情報の取得を行い（位置４０１ａ）、記録部１０６で管理されている管理テーブル３０１内のエリア４０３ａ（ホームエリア）の情報として、基地局情報には基地局４０２ａ、ＧＰＳ情報には位置４０１ａ、モード情報にはモード切替部がモードを切り替えた情報であるモード切り替え情報として、マナーモードＯＦＦを記録する（ステップＳ２０１）。ＧＰＳは測位完了後には直ちに停止する。自宅をホームエリアとして設定すると、移動先でどのようなモードに変更しても、自宅に戻ると常にホームエリアとして登録したモードに切り替わることになる。
【００３０】
携帯通信端末装置が基地局４０２ｂのエリア４０３ｂへ移動を行い（ステップＳ２０２）、位置４０１ｃ（駅Ａ）に進むと、ユーザは手動でユーザ操作部１０１を介してマナーモードＯＮへの切り替えを行う（ステップＳ２０３）。モード切替部１０２でマナーモードＯＮへの変更を行う共に、モード管理部１０３は、記録管理手段を用いて、基地局情報取得部１０４から位置登録している基地局の情報を取得すると共に、ＧＰＳを起動して詳細な位置情報の取得を行い、記録部１０６の管理テーブル３０１内のエリア４０３ｂ欄情報として、基地局情報に基地局４０２ｂを、ＧＰＳ情報に位置４０１ｃを、モード切替部がモードを切り替えた情報であるモード切り替え情報として、マナーモードＯＮをモード情報にそれぞれ記録する（ステップＳ２０４）。ＧＰＳは測位完了後には直ちに停止する。
【００３１】
同様に、携帯通信端末が基地局４０２ｂのエリア４０３ｂから基地局４０２ｃのエリア４０３ｃに移動（ステップＳ２０５）して、位置４０１ｅ（駅Ｂ）に進むと、ユーザは手動でユーザ操作部１０１を介してマナーモードＯＦＦへの切り替えを行う（ステップＳ２０６）。エリア４０３ｂの場合と同様の手順で、モード管理部１０３は、記録管理手段を用いて、記録部１０６の管理テーブル３０１内のエリア４０３ｂ欄に、基地局情報（基地局４０２ｃ）、ＧＰＳ情報（位置４０１ｅ）、モード情報（マナーモードＯＦＦ）の記録を行う（ステップＳ２０７）。
【００３２】
上述のような手順で、モード管理部１０３の記録管理手段を用いることにより、管理テーブル３０１には、エリア４０３ａ、エリア４０３ｂ、エリア４０３ｃの情報が、切り替え操作を行った順番通りに記録され、登録動作は完了する。こうしてユーザの通勤ルートの順に管理テーブルに記録される。
【００３３】
次に、図２で示される登録時のフローチャートの動作を実施後に、移動先からホームエリアに移動する場合に、モードを自動的に切り替える方法に関する動作について説明する。
【００３４】
図５は、第１実施形態におけるモードの自動切り替え動作を示す第１のフローチャートである。図２のフローチャートの動作は既に実行されており、管理テーブル３０１には、ホームエリア（エリア４０３ａ）、エリア４０３ｂ、エリア４０３ｃの情報が記録されている。現在は、携帯通信端末装置がマナーモードＯＦＦの状態で、エリア４０３ｃから移動して、管理テーブル３０１には記録されていないエリア４０３ｄの位置４０１ｆに滞在しているとする。
【００３５】
ここからユーザが携帯通信端末装置をもって、通勤ルートに沿って帰宅する場合を想定する。管理テーブル３０１には、エリア４０３ｃ以降は記録が無いので、移動先として、管理テーブルの最後の記録であるエリア４０３ｃへの移動を確認したところからスタートする。
【００３６】
携帯通信端末装置が滞在中のエリア４０３ｄから基地局４０２ｃのエリア４０３ｃ内の位置４０１ｄへ移動を行うとする（ステップＳ５０１）。携帯通信端末装置のモード管理部１０３は、基地局情報取得部１０４から位置登録している基地局４０２ｃの情報を受け取り、受け取った基地局情報が、管理テーブル３０１のエリア４０３ｃ欄の基地局情報である基地局４０２ｃと一致するか否かを確認する（ステップＳ５０２）。管理テーブル３０１のエリア４０３ｃ欄の基地局４０２ｃと一致する場合（ステップＳ５０２；Ｙｅｓ）、モード管理部１０３は、基地局４０２ｃのエリア４０３ｃに移動したと判断する。
【００３７】
モード管理部１０３は、ＧＰＳを起動し（ステップＳ５０３）、ＧＰＳからの位置情報を取得する。携帯通信端末装置が移動をすると（ステップＳ５０４）、モード管理部１０３は基地局４０２ｃのエリア４０３ｃを外れたか否かを確認する（ステップＳ５０５）。携帯通信端末装置がエリア４０３ｃ内に存在すれば（ステップＳ５０５；Ｎｏ）、モード管理部１０３は携帯通信端末装置がＧＰＳ情報である位置４０１ｅの位置判定エリア４０４ｃ内に移動したか否かを確認する（ステップＳ５０７）。
【００３８】
ステップＳ５０５において、携帯通信端末装置が位置判定エリア４０４ｃへ移動が確認されず、基地局４０２ｃの以外の基地局へ位置登録されたことが、基地局情報取得部１０４の情報取得により確認され、例えば位置４０１ｆに移動して（基地局４０２ｃのエリア４０３ｃを外れた事が確認された場合には（ステップＳ５０５；Ｙｅｓ）、ＧＰＳでの測位は直ちに停止（ステップＳ５０６）し、基地局４０２ｃのエリア４０３ｃへの移動を確認するシーケンス（ステップＳ５０１）に移行する。
【００３９】
モード管理部１０３は、基地局情報取得部１０４により位置４０１ｅの位置判定エリア４０４ｃ内へ移動したことを確認すると（ステップＳ５０７；Ｙｅｓ）、ＧＰＳを直ちに停止し（ステップＳ５０８）、モード切替制御手段を用いて、管理テーブル３０１のエリア４０３ｃ欄のモード情報に記録されている、マナーモードＯＦＦとは逆のモード切り替えを行う。つまり、モード管理部１０３は、モード切替部１０２に対して、マナーモードＯＮへの切り替えを指示する（ステップＳ５０９）。
【００４０】
次に、モード管理部１０３は、管理テーブル３０１を確認すると、エリア４０３ｃの前に記録されているエリアはエリア４０３ｂなので、携帯通信端末が位置判定エリア４０４ｂへ移動したことを確認する。手順としては、上記で説明したエリア４０３ｃへの移動と同様である。モード管理部１０３は、携帯通信端末装置が位置４０１ｂへ移動し、基地局情報から基地局４０２ｂのエリア４０３ｂへの移動を確認すると、ＧＰＳを起動する。モード管理部１０３は、携帯通信端末装置が位置４０１ｃの位置判定エリア４０４ｂへ移動したことを確認すると、モード切替制御手段を用いて、管理テーブル３０１のエリア４０３ｂ欄のモード情報に記録されている、マナーモードＯＮとは逆のモード切り替えを実施する。つまり、モード切替部１０２に対して、マナーモードＯＦＦへの切り替えを指示する。
【００４１】
その後、携帯通信端末装置がホームエリアであるエリア４０３ａの位置判定エリア４０４ａに移動した場合には、既にマナーモードはＯＦＦになっているため、モード切り替えは発生しないが、エリア４０３ｃの位置判定エリア４０４ｃへ移動後、エリア４０３ｂを経由せず、ホームエリア４０３ａの位置判定エリア４０４ａに移動した場合には、モード切替部１０２に対して、マナーモードＯＦＦへの切り替えを指示する。
【００４２】
上述のように、モード管理部１０３のモード切替制御手段を用いることにより、移動先のエリアからホームエリアへ移動する時に、管理テーブル３０１に登録されている各エリアに移動した場合には、記録されているモード情報とは逆のモード切り替えを実行することにより、管理テーブル３０１に記録されているエリア間のモードが、ユーザ手動で切り替えを行い移動した場合と同様のモードに、自動的に切り替わることになる。
【００４３】
また、管理テーブル３０１は、移動経路に応じて、複数の管理テーブルを登録することができる。モード管理部１０３は、記録部１０６に複数の管理テーブルが登録されていると、ホームエリアから移動する場合には、最初の移動先（ステップＳ５０２が基地局４０２ｃのエリア４０３ｃではなく、他のテーブルの移動エリアかどうかも判断する）からどのテーブルの経路を移動しているか判断を行い、使用する管理テーブルを選択する。
【００４４】
次に、図２で示される登録時のフローチャートと同様のルートでホームエリアから移動する場合の動作について説明する。図６は、第１実施形態におけるモードの自動切り替え動作を示す第２のフローチャートである。
【００４５】
図２のフローチャートが実行された後であり、管理テーブル３０１には、ホームエリア４０３ａ、エリア４０３ｂ、エリア４０３ｃが記録されており、現在は、携帯通信端末装置はホームエリア４０３ａの位置判定エリア４０４ａに存在し、マナーモードはＯＦＦとなっているとする。
【００４６】
モード管理部１０３は、携帯通信端末装置がホームエリア４０３ａから移動する場合（ステップＳ６０１）、次の移動先エリアを、管理テーブル３０１への登録順を参照して判断する。管理テーブル３０１では、ホームエリア４０３ａの次には、エリア４０３ｂ（基地局４０２ｂ）が登録されているので、エリア４０３ｂに移動したかどうかを確認する。つまり、基地局情報取得部１０４から受信した基地局情報が基地局４０２ｂとなり、基地局４０２ｂのエリア４０３ｂに移動したか否かを確認する（ステップＳ６０２）。モード管理部１０３は、エリア４０３ｂに移動したことを確認すると（ステップＳ６０２；Ｙｅｓ）、ＧＰＳを起動し（ステップＳ６０３）、ＧＰＳからの位置情報を取得する。携帯通信端末装置がエリア４０３ｂ内における移動をすると（ステップＳ６０４）、モード管理部１０３は基地局４０２ｂのエリア４０３ｂを外れたか否かを確認する（ステップＳ６０５）。携帯通信端末装置がエリア４０３ｂ内に存在すれば（ステップＳ６０５；Ｎｏ）、モード管理部１０３は携帯通信端末装置がＧＰＳ情報である位置４０１ｃの位置判定エリア４０４ｂ内に移動したか否かを確認する（ステップＳ６０７）。
【００４７】
ステップＳ６０５において、携帯通信端末装置の位置判定エリア４０４ｂへの移動が確認されず、基地局４０２ｂの以外の基地局へ位置登録されたことが、基地局情報取得部１０４の情報取得により確認され、例えば位置４０１ｆに移動して基地局４０２ｂのエリア４０３ｂを外れた事が確認された場合には（ステップＳ６０５；Ｙｅｓ）、ＧＰＳでの測位は直ちに停止（ステップＳ６０６）し、基地局４０２ｂのエリア４０３ｂへの移動を確認するシーケンス（ステップＳ６０１）に移行する。
【００４８】
モード管理部１０３は、基地局情報取得部１０４により位置４０１ｃ位置判定エリア４０４ｂ内への移動が確認できると（ステップＳ６０７；Ｙｅｓ）、ＧＰＳでの測位は直ちに停止する（ステップＳ６０８）。モード管理部１０３は、モード切替制御手段を用いて、管理テーブル３０１のエリア４０３ｂ欄のモード情報にはマナーモードＯＮが記録されているので、モード切替部１０２に対して、マナーモードＯＮへの切り替えを指示する（ステップＳ６０９）。
【００４９】
エリア４０３ｂに移動後は、管理テーブル３０１でエリア４０３ｂの次に登録されているエリアは、エリア４０３ｃなので、エリア４０３ｃへの移動と同様の手順でＧＰＳ位置判定エリア４０４ｃに移動したことを確認する。モード管理部１０３は、モード切替制御手段を用いて、管理テーブル３０１のエリア４０３ｃ欄のモード情報に記録されている、マナーモードＯＦＦと同様のモード切り替えを行うため、モード切替部１０２に対して、マナーモードＯＦＦへの切り替えを指示する。
【００５０】
上述のように、モード管理部１０３のモード切替制御手段を用いることにより、最初に手動でモード切り替えを実施した場合と同じルート上を移動した場合には、手動でモードを切り替えた場合と同様のモードに自動的に切り替わることになり、管理テーブル３０１に記録されているエリア間のモードは、ユーザが手動で切り替えを行った場合と同様のモードに自動的に切り替わる。
【００５１】
また、基地局のエリア内に入ると、ＧＰＳを使用して、より細かいエリアを特定しているため、ユーザが意図したモード切り替え位置を大きくずれることが無くなり、ＧＰＳの使用したエリアの確認は、基地局のエリア内でのみに限定し、エリアへの移動を確認すると、ＧＰＳの起動は停止し、エリア外の検出は基地局のエリアで判断を行うため、ＧＰＳを常時使用してエリアを確認する場合、もしくは、基地エリア外の検出のためにもＧＰＳを使用する場合に比べ、消費電力を低減することができる。
【００５２】
この後、移動先からホームエリアに戻る場合は、再度、図５のシーケンスが実行される。また、第１実施形態においては、何れのエリアに滞在していても、ホームエリアに移動したことが確認できれば、ホームエリアのモードとして登録してある、マナーモードＯＦＦに切り替わる。
【００５３】
通勤の場合を想定すると、位置判定エリア４０４ａは自宅、位置判定エリア４０４ｂは通勤時の駅Ａ、位置判定エリア４０４ｃは通勤時の駅Ｂであるから、電車への乗車区間（駅Ａ〜駅Ｂ）のみマナーモード設定をＯＮにすることになる。ユーザは、携帯通信端末装置に、初回のみ、駅Ａでマナーモード設定をＯＮにし、駅ＢでマナーモードをＯＦＦに設定登録する必要がある。しかし、一度登録を行ってしまえば、以後は、同じルートを通って移動している限りは、通勤時、帰着時とも、ユーザが操作するなしこと無しに、乗車区間のみが自動的にマナーモード設定されることになる。
【００５４】
［第２実施形態］
本発明の第２実施形態における携帯通信端末装置の構成は、図１に示す第１実施形態と同様である。携帯通信端末装置とエリアの関係も、図４に示す第１実施形態と同様である。
【００５５】
図７は、第２実施形態におけるモード切り替え状況と位置情報の対応関係を登録するフローチャートである。図８は、第２実施形態における自動モード切り替え管理テーブルの一例を示す概念図である。
【００５６】
先ずユーザは、基本モードの登録を行う。ここでは、モードＡを基本モードとして設定し、管理テーブル８０１の基本モードにモードＡを記録する（ステップＳ７０１）。基地局４０２ｂのエリア４０３ｂの位置４０１ｃに移動して（ステップＳ７０２）、ユーザはユーザ操作部１０１を介してモードＢに切り替えを行う（ステップＳ７０３）。モード管理部１０３は、ＧＰＳを起動して測位を行い、現在の位置情報を取得し、管理テーブル８０１のエリア４０３ｂ欄に、基地局情報として基地局４０２ｂ、ＧＰＳ情報として、ＧＰＳで測位して取得した情報である位置４０１ｃ、モード情報としてモードＢをそれぞれ記録する（ステップＳ７０４）。ここで、ＧＰＳで現在位置の測位が完了すると、ＧＰＳは直ちに停止する。
【００５７】
その後、携帯通信端末装置が移動を行い（ステップＳ７０５）、モード管理部１０３は、基地局情報取得部１０４から受け取った基地局情報からエリア４０３ｂ（基地局４０２ｂ）を外れて位置４０１ｄに移動したことを確認すると（ステップＳ７０６；Ｙｅｓ）、モードＢから基本モードであるモードＡに切り替えるため、モード切替部１０２へモード切り替えを指示する（ステップＳ７０７）。
【００５８】
さらに基地局４０２ｃの位置４０１ｅに移動して、ユーザがユーザ操作部１０１を介してモードＢへの切り替えを行うと、エリア４０３ｂの場合と同様に、管理テーブル８０１のエリア４０３ｃ欄に、基地局情報である基地局４０２ｃ、ＧＰＳ情報である位置４０１ｅ、モード情報であるモードＢがそれぞれ記録され、基地局４０２ｃのエリア４０３ｃを外れて登録していないエリアの位置（例えば位置４０１ｆ）に移動すると、モードＡに自動的に切り替わる。
【００５９】
上述のような手順で、管理テーブル８０１には、基本モードの情報と、エリア４０３ｂ、エリア４０３ｃの２つのエリアの情報が記録される。その後も、手動でモード切り替えを行った場合には、同様の手順で、基地局情報、ＧＰＳ情報、モード情報が、エリア単位で、管理テーブル８０１に追加される。
【００６０】
次に、図を参照して、第２実施形態における自動切り替え動作について説明する。
図９は、実施形態２における自動切り替え動作を示すフローチャートである。
【００６１】
図７のフローチャートの動作が実行され、管理テーブル８０１には、基本モード及び、エリア４０３ｂ、エリア４０３ｃの情報が記録されており、現在は管理テーブル８０１に登録されていないエリア４０３ｄの位置４０１ｆに滞在しているので、モードは基本モードであるモードＡになっている。
【００６２】
携帯通信端末装置が滞在中のエリアから移動すると（ステップＳ９０１）、携帯通信端末装置のモード管理部１０３は、管理テーブル８０１に登録されている基地局情報に記録されている、基地局４０２ｂのエリア４０３ｂもしくは、基地局４０２ｃのエリア４０３ｃに移動するかどうか確認するため、基地局情報取得部１０４から受け取った基地局情報が、基地局４０２ｂもしくは、基地局４０２ｃとなることを確認する（ステップＳ９０２）。いずれかへの移動が確認できれば（ステップＳ９０２；Ｙｅｓ）、ＧＰＳを起動し（ステップＳ９０３）、位置情報を取得する。携帯通信端末装置が移動をすると（ステップＳ９０４）、モード管理部１０３は基地局４０２ｂあるいは４０２ｃのエリア４０３ｂあるいは４０３ｃを外れたか否かを確認する（ステップＳ９０５）。携帯通信端末装置がエリア内に存在すれば（ステップＳ９０５；Ｎｏ）、モード管理部１０３は携帯通信端末装置がＧＰＳ情報である位置４０１ｃあるいは４０１ｅの位置判定エリア４０４ｂあるいは４０４ｃ内に移動したか否かを確認する（ステップＳ９０７）。
【００６３】
ここで、携帯通信端末装置がＧＰＳ情報の範囲内に移動せず、基地局情報（基地局４０２ｂもしくは基地局４０２ｃ）のエリア４０３ｂもしくは４０３ｃを外れた位置４０１ｆに移動した場合（ステップＳ９０５；Ｙｅｓ）には、直ちにＧＰＳでの測位を停止し（ステップＳ９０６）、基地局４０２ｂもしくは、基地局４０２ｃのエリアへの移動を確認するシーケンス（ステップＳ９０１）に移行する。
【００６４】
携帯通信端末装置がＧＰＳ情報の範囲内（位置判定エリア４０４ｂもしくは４０４ｃ）に移動したことを確認すると（ステップＳ９０７；Ｙｅｓ）、ＧＰＳでの測位は直ちに停止し（ステップＳ９０８）、管理テーブル８０１に記録されているそれぞれのエリアのモード情報はモードＢなので、モードＢへの切り替えをモード切替部１０２に指示する（Ｓ９０9）。
【００６５】
その後、携帯通信端末装置が移動すると（ステップＳ９１０）、移動先の基地局情報を参照して、管理テーブル８０１に登録されているエリアが隣接している可能性もあるので、移動先エリアが管理テーブル８０１に登録されている基地局（４０２ｂ、４０２ｃ）のエリア外かどうか判断し（ステップＳ９１１）、登録されていないエリアの場合は、基本モードであるモードＡに自動的に切り替える（ステップＳ９１２）。
【００６６】
上述のように、第２実施形態では、基本モード以外のモードに切り替えた場合には、切り替えを行ったエリア内でのみ、切り替えたモードが有効になり、エリアを外れると基本モードに切り替わることになる。大きなエリアとして、基本モード以外のモードで使用するには、隣接したエリア内で何度か手動でモード切り替えを行えば、エリアは拡大することになる。
【００６７】
また、第１実施形態と同様、ＧＰＳの使用は、記録されている基地局のエリア内でのみに限定しており、ＧＰＳを使用して、記録エリアへの移動を確認後は、ＧＰＳの使用を停止し、エリア外の判断は、基地局のエリアのみで行うため、ＧＰＳの動作時間を短くできるため、消費電力を低減することができる。
【図面の簡単な説明】
【００６８】
【図１】本発明の携帯通信端末装置の第１実施形態における構成を示すブロック図である。
【図２】本発明の第１実施形態におけるモード切り替え状況と位置情報の対応関係を登録する動作を示すフローチャートである。
【図３】本発明の第１実施形態における自動モード切り替え管理テーブルの一例を示す概念図である。
【図４】本発明の第１実施形態における携帯通信端末とエリアの関係を示す概念図である。
【図５】本発明の第１実施形態における自動切り替えの動作を示す第１のフローチャートである。
【図６】本発明の第１実施形態における自動切り替えの動作を示す第２のフローチャートである。
【図７】本発明の第２実施形態におけるモード切り替え状況と位置情報の対応関係を登録する動作を示すフローチャートである。
【図８】本発明の第２実施形態における自動モード切り替え管理テーブルの一例を示す概念図である。
【図９】本発明の第２実施形態における自動切り替え動作を示すフローチャートである。
【符号の説明】
【００６９】
１０１  ユーザ操作部
１０２  モード切替部
１０３  モード管理部
１０４  基地局情報取得部
１０６  記録部
３０１  管理テーブル
４０１ａ〜４０１ｆ  位置
４０２ａ〜４０２ｃ  基地局
４０３ａ〜４０３ｄ  エリア
４０４ａ〜４０４ｃ  位置判定エリア
８０１  管理テーブル
【図１】
2010114589.tif 000003
【図２】
2010114589.tif 000004
【図３】
2010114589.tif 000005
【図４】
2010114589.tif 000006
【図５】
2010114589.tif 000007
【図６】
2010114589.tif 000008
【図７】
2010114589.tif 000009
【図８】
2010114589.tif 000010
【図９】
2010114589.tif 000011